(57)【要約】【課題】ユーザに手間を掛けさせずにユーザに適合する施設の情報を出力する。【解決手段】入力情報受付部は、入居希望者であるユーザのマイナンバーと入居希望条件を利用者端末から取得し（図７（ａ））、資産情報取得部は、マイナンバーに基づいて、ユーザの資産情報を金融機関サーバから取得する。そして、適合施設問い合わせ部は、入居希望条件を満たす介護施設のうちユーザの資産に合った介護施設をＷｅｂサーバを利用して特定し、情報出力部は、特定された施設の情報を出力する（図７（ｂ））。【選択図】図７
2020009092.tif 000002
【特許請求の範囲】
【請求項１】
入居希望者の識別情報、及び入居希望条件を受け付け、
前記識別情報に基づいて、前記入居希望者の資産情報を金融機関に対応する情報処理装置から取得し、
取得した前記資産情報に基づいて、前記入居希望条件を満たす施設群の中から前記入居希望者に適合する施設を特定して出力する、
処理をコンピュータに実行させるための入居施設情報出力プログラム。
【請求項２】
前記識別情報に基づいて、前記入居希望者の介護度の情報を自治体に対応する情報処理装置から取得し、
前記適合する施設を特定して出力する処理では、取得した前記介護度の情報に基づいて、前記入居希望条件を満たす施設群の中から前記入居希望者に適合する施設を特定して出力する、
ことを特徴とする請求項１に記載の入居施設情報出力プログラム。
【請求項３】
施設ごとの入居条件を記憶する記憶部を参照して、前記適合する施設に入居するために前記入居希望者が保証人を登録する必要があると判定した場合、前記資産情報に応じた保証人候補を特定して出力する、
処理を前記コンピュータに更に実行させることを特徴とする請求項１又は２に記載の入居施設情報出力プログラム。
【請求項４】
前記識別情報に基づいて、前記入居希望者の関係者の情報を自治体に対応する情報処理装置から取得し、
前記保証人候補を特定して出力する処理では、取得した前記関係者の少なくとも一人を前記保証人候補として特定して出力する、ことを特徴とする請求項３に記載の入居施設情報出力プログラム。
【請求項５】
前記入居希望者に適合する施設は、施設に支払う金額と、取得した前記資産情報と、に基づいて特定した施設である、ことを特徴とする請求項１〜４のいずれか一項に記載の入居施設情報出力プログラム。
【請求項６】
入居希望者の識別情報、及び入居希望条件を受け付け、
前記識別情報に基づいて、前記入居希望者の資産情報を金融機関に対応する情報処理装置から取得し、
取得した前記資産情報に基づいて、前記入居希望条件を満たす施設群の中から前記入居希望者に適合する施設を特定して出力する、
処理をコンピュータが実行することを特徴とする入居施設情報出力方法。
【請求項７】
入居希望者の識別情報、及び入居希望条件を受け付ける受付部と、
前記識別情報に基づいて、前記入居希望者の資産情報を金融機関に対応する情報処理装置から取得する取得部と、
取得した前記資産情報に基づいて、前記入居希望条件を満たす施設群の中から前記入居希望者に適合する施設を特定して出力する出力部と、
を備える入居施設情報出力装置。
【発明の詳細な説明】
【技術分野】
【０００１】
本発明は、入居施設情報出力プログラム、入居施設情報出力方法及び入居施設情報出力装置に関する。
【背景技術】
【０００２】
従来、介護施設などの入居施設を探す場合、入居施設紹介サイトなどにおいて希望条件に合った入居施設を検索することが広く行われている（例えば、特許文献１等参照）。
【先行技術文献】
【特許文献】
【０００３】
【特許文献１】特開２００８−７１００３号公報
【発明の概要】
【発明が解決しようとする課題】
【０００４】
しかしながら、自己に適合する入居施設を探すためには、検索条件として自己に関する詳細な情報を入力しなければならない場合があるが、正確な情報の入手や情報の入力に手間がかかる場合がある。
【０００５】
１つの側面では、本発明は、入居希望者に手間を掛けさせずに入居希望者に適合する施設を特定して出力することが可能な入居施設情報出力プログラム、入居施設情報出力方法及び入居施設情報出力装置を提供することを目的とする。
【課題を解決するための手段】
【０００６】
一つの態様では、入居施設情報出力プログラムは、入居希望者の識別情報、及び入居希望条件を受け付け、前記識別情報に基づいて、前記入居希望者の資産情報を金融機関に対応する情報処理装置から取得し、取得した前記資産情報に基づいて、前記入居希望条件を満たす施設群の中から前記入居希望者に適合する施設を特定して出力する、処理をコンピュータに実行させるためのプログラムである。
【発明の効果】
【０００７】
入居希望者に手間を掛けさせずに入居希望者に適合する施設を特定して出力することができる。
【図面の簡単な説明】
【０００８】
【図１】一実施形態に係る入居施設検索システムの構成を概略的に示す図である。
【図２】図２（ａ）は、マッチングサーバ、金融機関サーバ、自治体サーバ、Ｗｅｂサーバのハードウェア構成の一例を示す図であり、図２（ｂ）は、利用者端末のハードウェア構成の一例を示す図である。
【図３】マッチングサーバ、金融機関サーバ、自治体サーバ、Ｗｅｂサーバの機能ブロック図である。
【図４】図４（ａ）は、資産情報ＤＢのデータ構造の一例を示す図であり、図４（ｂ）は、介護度ＤＢのデータ構造の一例を示す図である。
【図５】施設ＤＢのデータ構造の一例を示す図である。
【図６】マッチングサーバの処理を示すフローチャートである。
【図７】図７（ａ）は、入力画面を示す図であり、図７（ｂ）、図７（ｃ）は、施設一覧画面を示す図である。
【図８】図８（ａ）は、施設詳細画面を示す図であり、図８（ｂ）は、資産シミュレーション画面を示す図である。
【図９】メッセージ選択テーブルの一例を示す図である。
【図１０】図１０（ａ）〜図１０（ｄ）は、メッセージ画面の例を示す図である。
【発明を実施するための形態】
【０００９】
以下、入居施設検索システムの一実施形態について、図１〜図１０に基づいて詳細に説明する。
【００１０】
図１には、一実施形態に係る入居施設検索システム１００の構成が概略的に示されている。図１に示すように、入居施設検索システム１００は、入居施設情報出力装置としてのマッチングサーバ１０と、金融機関に対応する情報処理装置としての金融機関サーバ２０と、利用者端末７０と、自治体に対応する情報処理装置としての自治体サーバ３０と、Ｗｅｂサーバ４０と、を備える。入居施設検索システム１００に含まれる各構成は、インターネットやＶＰＮ（Virtual Private Network）などのネットワーク８０に接続されている。
【００１１】
マッチングサーバ１０は、例えば、金融機関が運営、管理するサーバであり、金融機関を利用するユーザ（お年寄り等）が介護施設に入居することを希望している場合に、ユーザに適合する介護施設の情報をユーザが利用する利用者端末７０に提供するサーバである。マッチングサーバ１０は、ユーザが利用する利用者端末７０からユーザの識別情報（マイナンバーとする）と、入居希望条件を取得すると、他のサーバ（金融機関サーバ２０、自治体サーバ３０、Ｗｅｂサーバ４０）と連携して、ユーザに適合する介護施設を特定し、利用者端末７０に出力する。
【００１２】
図２（ａ）には、マッチングサーバ１０のハードウェア構成が示されている。図２（ａ）に示すように、マッチングサーバ１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークインタフェース９７、及び可搬型記憶媒体用ドライブ９９等を備えている。これらマッチングサーバ１０の構成各部は、バス９８に接続されている。マッチングサーバ１０では、ＲＯＭ９２あるいはＨＤＤ９６に格納されているプログラム（入居施設情報出力プログラムを含む）、或いは可搬型記憶媒体用ドライブ９９が可搬型記憶媒体９１から読み取ったプログラム（入居施設情報出力プログラムを含む）をＣＰＵ９０が実行することにより、図３の各部の機能が実現されている。なお、図３の各部の機能は、例えば、ＡＳＩＣ（Application Specific Integrated Circuit）やＦＰＧＡ（Field Programmable Gate Array）等の集積回路により実現されてもよい。なお、図３の各部の詳細については後述する。
【００１３】
図１に戻り、金融機関サーバ２０は、金融機関において各顧客の資産情報を管理するために用いるサーバである。金融機関サーバ２０は、マッチングサーバ１０と同様のハードウェア構成（図２（ａ）参照）を有している。金融機関サーバ２０は、マッチングサーバ１０からユーザのマイナンバーが送信されてきた場合に、図３に示す資産情報ＤＢ２８からマイナンバーに対応する資産情報を検索し、マッチングサーバ１０に送信する情報検索部２１としての機能を有する。
【００１４】
ここで、資産情報ＤＢ２８は、一例として、図４（ａ）に示すようなデータ構造を有する。資産情報ＤＢ２８は、図４（ａ）に示すように、「マイナンバー」、「資産名称」、「金額」、「月平均入金額」、「月平均出金額」、「更新日」の各フィールドを有する。「マイナンバー」のフィールドには、顧客に付与されたマイナンバーの情報が格納される。「資産名称」のフィールドには、普通預金、定期預金、外貨預金、投資信託などの資産の種類名が格納される。「金額」のフィールドには、資産の金額が格納される。「月平均入金額」、「月平均出金額」のフィールドには、過去所定期間（例えば１年）における月間の平均入金額及び平均出金額の情報が格納される。「更新日」のフィールドには、「金額」、「月平均入金額」、「月平均出金額」のいずれかを更新した日付の情報が格納される。
【００１５】
図１に戻り、利用者端末７０は、金融機関を利用するユーザが操作可能なスマートフォンやＰＣ（Personal Computer）などの端末である。利用者端末７０は、ユーザから入力されるユーザのマイナンバーや入居希望条件などを取得し、取得した情報をマッチングサーバ１０に送信する。また、利用者端末７０は、マッチングサーバ１０から出力されたユーザに適合する介護施設の情報を表示する画面を取得して表示する。
【００１６】
利用者端末７０は、図２（ｂ）に示すようなハードウェア構成を有する。利用者端末７０は、ＣＰＵ１９０、ＲＯＭ１９２、ＲＡＭ１９４、記憶部（ここではＨＤＤ）１９６、ネットワークインタフェース１９７、表示部１９３、入力部１９５、及び可搬型記憶媒体１９１に記憶されている情報を読み取り可能な可搬型記憶媒体用ドライブ１９９等を備えている。表示部１９３は、液晶ディスプレイ等を含み、入力部１９５は、タッチパネルや、キーボード、マウス等を含む。これら利用者端末７０の構成各部は、バス１９８に接続されている。
【００１７】
自治体サーバ３０は、各自治体において、住民の情報を管理するサーバである。自治体サーバ３０は、図３に示す介護度ＤＢ３８を含む複数のデータベースにおいて、住民の情報を管理している。自治体サーバ３０は、マッチングサーバ１０と同様のハードウェア構成（図２（ａ）参照）を有する。本実施形態では、自治体サーバ３０は、マッチングサーバ１０からユーザのマイナンバーが送信されてきた場合に、該マイナンバーを利用して介護度ＤＢ３８からユーザの介護度などの情報を取得し、マッチングサーバ１０に送信する情報検索部３１としての機能を有する。
【００１８】
ここで、介護度ＤＢ３８は、一例として、図４（ｂ）に示すようなデータ構造を有する。介護度ＤＢ３８は、図４（ｂ）に示すように、「マイナンバー」、「介護度」、「生年月日」、「判定日」、「期限」の各フィールドを有する。「マイナンバー」のフィールドには、住民に付与されたマイナンバーの情報が格納される。「介護度」のフィールドには、自治体が認定した住民の介護度が格納される。「生年月日」のフィールドには、住民の生年月日の情報が格納される。「判定日」のフィールドには介護度が認定された年月日の情報が格納され、「期限」のフィールドには、認定された介護度の有効期限の情報が格納される。
【００１９】
Ｗｅｂサーバ４０は、介護施設の紹介サイトを運営する会社において管理されているサーバである。Ｗｅｂサーバ４０は、図３に示す記憶部としての施設ＤＢ４８において介護施設に設定された入居条件などの情報を管理している。Ｗｅｂサーバ４０は、マッチングサーバ１０と同様のハードウェア構成（図２（ａ）参照）を有する。Ｗｅｂサーバ４０は、マッチングサーバ１０からユーザの資産情報や入居希望条件の情報を伴う問い合わせを受け付ける問い合わせ受付部４１と、資産情報や入居希望条件を満たす介護施設を施設ＤＢ４８から検索して、マッチングサーバ１０に回答する検索・回答部４２としての機能を有する。
【００２０】
ここで、施設ＤＢ４８は、一例として、図５に示すようなデータ構造を有する。施設ＤＢ４８は、図５に示すように、「施設名」、「年齢」、「受け入れ可能条件」、「住所」、「入居時費用」、「月額利用料」、「保証人要否」、「更新日」、「期限」の各フィールドを有する。「施設名」のフィールドには、介護施設の名称が格納され、「年齢」のフィールドには、介護施設に入居できる人の年齢条件が格納される。「受け入れ可能条件」のフィールドには、介護施設に入居できる人の介護度に関する条件が格納される。「住所」のフィールドには、介護施設の所在地の情報、「入居時費用」のフィールドには、入居時に必要な一時金の金額情報、「月額利用料」のフィールドには、月々支払う必要のある賃料の情報が格納される。また、「保証人要否」のフィールドには、入居の際に保証人を登録する必要がある場合に「要」、不要な場合に「否」が格納される。「更新日」のフィールドには、情報が更新された日付が格納され、「期限」のフィールドには、情報の有効期限の日付が格納される。
【００２１】
（マッチングサーバ１０の各機能について）
マッチングサーバ１０は、ＣＰＵ９０がプログラムを実行することで、図３に示す、受付部としての入力情報受付部１１、資産情報取得部１２、介護度情報取得部１３、適合施設問い合わせ部１４、回答取得部１５、情報出力部１６、として機能する。
【００２２】
入力情報受付部１１は、ユーザが利用者端末７０から入力したマイナンバー及び入居希望条件の情報をネットワーク８０経由で取得する。入力情報受付部１１が取得したユーザのマイナンバーは、資産情報取得部１２、介護度情報取得部１３、適合施設問い合わせ部１４に送信される。また、入力情報受付部１１が取得したユーザの入居希望条件の情報は、適合施設問い合わせ部１４に送信される。
【００２３】
資産情報取得部１２は、入力情報受付部１１から受け取ったユーザのマイナンバーを金融機関サーバ２０に送信することで、ユーザの資産情報を問い合わせる。金融機関サーバ２０では、情報検索部２１が資産情報ＤＢ２８を検索してユーザの資産情報を取得し、資産情報取得部１２に対して送信する。これにより、資産情報取得部１２は、金融機関サーバ２０から送信されてきたユーザの資産情報を取得することができる。資産情報取得部１２は、取得したユーザの資産情報を適合施設問い合わせ部１４に送信する。
【００２４】
介護度情報取得部１３は、入力情報受付部１１から受け取ったユーザのマイナンバーを自治体サーバ３０に送信することで、ユーザの介護度や年齢の情報を問い合わせる。自治体サーバ３０では、情報検索部３１が介護度ＤＢ３８を検索してユーザの介護度等の情報を取得し、介護度情報取得部１３に対して送信する。これにより、介護度情報取得部１３は、自治体サーバ３０から送信されてきたユーザの介護度等の情報を取得することができる。介護度情報取得部１３は、取得したユーザの介護度等の情報を適合施設問い合わせ部１４に送信する。
【００２５】
適合施設問い合わせ部１４は、ユーザが入力した入居希望条件と、ユーザの資産情報と、ユーザの介護度等の情報をＷｅｂサーバ４０に送信することで、ユーザに適合する介護施設を問い合わせる。Ｗｅｂサーバ４０では、送信されてきた情報を問い合わせ受付部４１が受信し、検索・回答部４２に受け渡す。そして、検索・回答部４２は、施設ＤＢ４８を検索してユーザに適合する介護施設の情報を取得し、マッチングサーバ１０の回答取得部１５に対して送信する。
【００２６】
回答取得部１５は、Ｗｅｂサーバ４０の検索・回答部４２から送信されてきたユーザに適合する介護施設の情報を取得し、情報出力部１６に送信する。
【００２７】
情報出力部１６は、回答取得部１５から取得したユーザに適合する介護施設の情報を用いて表示画面を生成し、利用者端末７０に対して出力（送信）する。また、情報出力部１６は、利用者端末７０におけるユーザの操作情報を取得すると、操作情報に対応する情報処理を実行して新たな表示画面を生成し、利用者端末７０に出力する。
【００２８】
（マッチングサーバ１０の処理について）
次にマッチングサーバ１０の処理について、図６のフローチャートに沿って、その他図面を適宜参照しつつ詳細に説明する。
【００２９】
図６のステップＳ１０では、入力情報受付部１１が、マイナンバーと入居希望条件の情報の入力を受け付けるまで待機する。ここで、ユーザは、利用者端末７０のブラウザ上から金融機関が運営する介護施設紹介サイトにアクセスし、図７（ａ）に示すような入力画面を利用者端末７０の表示部１９３に表示させる。そして、ユーザは、図７（ａ）の入力画面においてマイナンバーや入居希望条件を入力して「施設検索」ボタンを押す。なお、図７（ａ）においては、入居希望条件として居住希望地域を入力できる例について図示しているが、これに限らず、居住希望地域以外の条件（例えば部屋の広さ、施設の規模、付帯施設など）を入力できるようにしてもよい。ユーザによって入力画面内の「施設検索」ボタンが押されると、入力画面に入力された情報が利用者端末７０から入力情報受付部１１に送信される。この段階で、入力情報受付部１１は、ステップＳ１２に移行する。
【００３０】
ステップＳ１２に移行すると、入力情報受付部１１は、マイナンバーと入居希望条件の情報を取得する。入力情報受付部１１は、取得したマイナンバーを資産情報取得部１２、介護度情報取得部１３、適合施設問い合わせ部１４に送信するとともに、取得した入居希望条件の情報を適合施設問い合わせ部１４に送信する。
【００３１】
次いで、ステップＳ１４では、資産情報取得部１２が、金融機関サーバ２０にマイナンバーに対応する資産情報を問い合わせ、取得する。例えば、ユーザのマイナンバーとして「１２３４５」が取得された場合には、資産情報取得部１２は、マイナンバー「１２３４５」を金融機関サーバ２０の情報検索部２１に送信する。この場合、情報検索部２１は、マイナンバー「１２３４５」に対応する資産情報を資産情報ＤＢ２８（図４（ａ）参照）から取得し、資産情報取得部１２に対して送信する。これにより、資産情報取得部１２はユーザの資産情報（図４（ａ）のユーザに対応する行の情報）を取得することができる。
【００３２】
次いで、ステップＳ１６では、介護度情報取得部１３が、自治体サーバ３０からマイナンバーに対応する介護度や年齢の情報を問い合わせ、取得する。例えば、ユーザのマイナンバーとして「１２３４５」が取得された場合には、介護度情報取得部１３は、マイナンバー「１２３４５」を自治体サーバ３０の情報検索部３１に送信する。この場合、情報検索部３１は、マイナンバー「１２３４５」に対応する介護度の情報や生年月日から算出可能な年齢の情報を介護度ＤＢ３８（図４（ｂ）参照）から取得し、介護度情報取得部１３に対して送信する。これにより、介護度情報取得部１３はユーザの介護度や年齢の情報を取得することができる。
【００３３】
次いで、ステップＳ１８では、適合施設問い合わせ部１４が、入居希望条件、資産情報、介護度情報、年齢情報を用いて、Ｗｅｂサーバ４０に対して、ユーザに適合する介護施設を問い合わせる。
【００３４】
この場合、適合施設問い合わせ部１４からの問い合わせをＷｅｂサーバ４０の問い合わせ受付部４１が受け付けると、検索・回答部４２は、入居希望条件（図７（ａ）の例では、居住希望地域）と、資産情報と、介護度情報と、年齢情報に合致する介護施設を、施設ＤＢ４８から抽出する。例えば、検索・回答部４２は、まず、施設ＤＢ４８に含まれる介護施設の中から、受け入れ可能な年齢にユーザの年齢が含まれており、受け入れ可能条件とユーザの介護度が合致しており、施設の住所が居住希望地域と合致している介護施設を特定する。そして、検索・回答部４２は、特定した介護施設の入居時費用や月額利用料、ユーザの資産情報（金額、月平均入金額や月平均出金額など）を用いて、予め定められている計算式から、ユーザの資産が枯渇しない可能性の高い介護施設（ユーザに適合する介護施設）を抽出する。検索・回答部４２は、抽出したユーザに適合する介護施設の情報（図５のユーザに適合する施設に対応する行の情報）を回答取得部１５に対して回答する。
【００３５】
次いで、ステップＳ２０では、回答取得部１５が、検索・回答部４２から回答があるまで待機する。検索・回答部４２から回答があると、回答取得部１５は、ステップＳ２１に移行する。
【００３６】
ステップＳ２１に移行すると、回答取得部１５は、検索・回答部４２から送信されてきた回答を取得する。回答取得部１５は、取得した回答を情報出力部１６に対して送信する。
【００３７】
次いで、ステップＳ２２では、情報出力部１６が、施設情報を出力する。この場合、情報出力部１６は、検索・回答部４２から取得したユーザに適合する介護施設の情報に基づいて表示画面を生成し、生成した表示画面を利用者端末７０に対して送信する。例えば、回答取得部１５が、検索・回答部４２から回答された情報が、図５の施設名「富士通レジデンス」と「品川ヒルズ」の情報であったとする。この場合、情報出力部１６は、一例として、図７（ｂ）に示すような施設一覧画面を生成するものとする。図７（ｂ）の施設一覧画面には、「詳細」ボタンが設けられており、ユーザが「詳細」ボタンを押すことで、各介護施設の詳細情報を閲覧することができる。なお、情報出力部１６は、各介護施設の特徴を示す情報を、各介護施設の情報を比較した結果から生成し、図７（ｃ）に示すように施設一覧画面に表示することとしてもよい（図７（ｃ）において矢印で示す箇所参照）。図７（ｃ）の例では、各介護施設の入居時費用と月額利用料の比較結果に基づいて、「富士通レジデンス」の特徴を示す情報として、「堅実に暮らしたいなら…」を表示し、「品川ヒルズ」の特徴を示す情報として、「リッチに暮らしたいなら…」を表示している。
【００３８】
次いで、ステップＳ２４では、情報出力部１６が、操作情報を取得するまで待機する。情報出力部１６は、利用者端末７０から、ユーザによって画面上のボタンが押されたという情報を受信すると、ステップＳ２６に移行する。
【００３９】
ステップＳ２６に移行すると、情報出力部１６は、操作情報に対応する処理を実行する。例えば、ユーザが、施設一覧画面において富士通レジデンスの「詳細」ボタンを押したとする。この場合、情報出力部１６は、検索・回答部４２から受信した情報の中から、ユーザに提供する必要のある富士通レジデンスの情報を抽出し、抽出した情報を表示する施設詳細画面（図８（ａ）参照）を生成する。なお、情報出力部１６は、施設ＤＢ４８において富士通レジデンスの「保証人要否」が「要」になっているため、図８（ａ）の施設詳細画面において「保証人がいないなら…」ボタンを表示することとしている。その後は、ステップＳ２８に移行する。
【００４０】
ステップＳ２８に移行すると、情報出力部１６は、処理結果の表示画面（例えば、図８（ａ）の施設詳細画面）を出力する。その後は、ステップＳ２４〜Ｓ２８の処理・判断を繰り返し実行する。
【００４１】
ステップＳ２４〜Ｓ２８が繰り返し実行される間に、例えば、ユーザが、図８（ａ）の施設詳細画面の「資産シミュレーション」ボタンを押したとする。この場合、情報出力部１６は、ステップＳ２６において、富士通レジデンスに入居した場合にユーザの資産がどのように推移するかを、現在の資産情報、月平均入金額、月平均出金額、入居時費用、月額利用料、一般的に必要となる生活費などに基づいてシミュレーションする。そして、情報出力部１６は、シミュレーション結果に基づいて図８（ｂ）に示すような資産シミュレーション画面を生成し、生成した画面を出力する（ステップＳ２８）。
【００４２】
また、ステップＳ２４〜Ｓ２８が繰り返し実行される間に、例えば、ユーザが、図８（ａ）の施設詳細画面において、「保証人がいないなら…」ボタンを押したとする。この場合、情報出力部１６は、ステップＳ２６において、ユーザの保証人候補に関するメッセージを表示するメッセージ画面を生成する。具体的には、情報出力部１６は、図９に示すようなメッセージ選択テーブルを参照して、ユーザの資産情報に応じたメッセージを選択して、メッセージ画面を生成する。なお、図９のテーブルでは、Ａ＞Ｂ＞Ｃであり、ユーザの年齢に合わせて、各値Ａ〜Ｃに定数を掛けることとしている。
【００４３】
例えば、ユーザが６０歳代であり、資産がＡ円以上の場合には、情報出力部１６は、図９のテーブルに基づいて、金融機関が保証人になってもよいことを示すメッセージ画面（図１０（ａ））を生成する。また、例えば、ユーザが６０歳代であり、資産がＣ円未満の場合には、情報出力部１６は、図９のテーブルに基づいて、金融機関が保証人になれないことを示すメッセージ画面（図１０（ｂ））を生成する。また、例えば、ユーザが６０歳代であり、資産がＢ円未満Ｃ円以上の場合には、情報出力部１６は、図９のテーブルに基づいて、金融機関が保証人になれないが、保証会社を紹介できることを示すメッセージ画面（図１０（ｃ））を生成する。また、例えば、ユーザが６０歳代であり、資産がＡ円未満Ｂ円以上の場合には、情報出力部１６は、条件付きで（例えば投資信託の継続を条件として）、金融機関が保証人になれるということを示すメッセージ画面（図１０（ｄ））を生成する。なお、メッセージ選択テーブルは介護施設ごとに用意されていてもよいし、介護施設に入居する際に必要な費用に合わせて複数のメッセージ選択テーブルが用意されていてもよい。
【００４４】
また、情報出力部１６は、ユーザの保証人候補として、保証人になり得る家族を特定し、特定した家族の情報を含むメッセージ画面を生成するようにしてもよい。この場合、情報出力部１６は、自治体サーバ３０から、ユーザと同一戸籍に属する人（家族）のマイナンバーを取得し、取得した家族のマイナンバーを用いて金融機関サーバ２０に家族の資産情報を問い合わせ、資産情報から保証人になり得る家族を特定するようにすればよい。
【００４５】
以上のように、マッチングサーバ１０において図６の処理が実行されることで、ユーザに対してユーザに適合する介護施設の情報を提供することができるとともに、保証人候補に関する情報や資産シミュレーションの情報などについても提供することができる。
【００４６】
これまでの説明からわかるように、本実施形態においては、適合施設問い合わせ部１４と、回答取得部１５と、情報出力部１６とを含んで、ユーザに適合する施設を特定して出力する出力部としての機能が実現されている。また、情報出力部１６により、保証人候補を特定して出力する保証人候補出力部としての機能が実現されている。
【００４７】
以上、詳細に説明したように、本実施形態によると、入力情報受付部１１は、入居希望者であるユーザの識別情報（マイナンバー）と入居希望条件を利用者端末７０から取得し、資産情報取得部１２は、マイナンバーに基づいて、ユーザの資産情報を金融機関サーバ２０から取得する。そして、適合施設問い合わせ部１４は、入居希望条件を満たす介護施設のうちユーザの資産に合った介護施設（ユーザに適合する介護施設）をＷｅｂサーバ４０を利用して特定し、情報出力部１６は、特定された施設の情報を出力する。これにより、本実施形態では、ユーザが自己の資産情報を調べたり、入力しなくてもよいため、ユーザに手間を掛けさせずにユーザの資産に合った介護施設の情報を出力することができる。
【００４８】
また、本実施形態では、介護度情報取得部１３が、マイナンバーに基づいて、ユーザの介護度の情報を自治体サーバ３０から取得し、適合施設問い合わせ部１４が、入居希望条件を満たす施設のうち、ユーザの介護度に合った介護施設を特定する。この点からも、ユーザが自己の介護度を調べたり、入力しなくてもよいため、ユーザに手間を掛けさせずにユーザの介護度に合った介護施設の情報を出力することができる。
【００４９】
また、本実施形態では、情報出力部１６は、ユーザに適合する介護施設に入居するために保証人を登録する必要があると判定した場合（施設ＤＢ４８の「保証人要否」の欄が「要」の場合）に、図９のテーブルに基づいて、資産情報に応じた保証人候補を特定して出力する（図１０（ａ）〜図１０（ｄ）参照）。これにより、ユーザに対して保証人候補の情報を提供することができる。
【００５０】
また、本実施形態では、Ｗｅｂサーバ４０の検索・回答部４２において、ユーザに適合する介護施設を、介護施設に支払う必要のある金額（入居時費用や月額利用料）とユーザの資産情報と、に基づいて特定する。これにより、ユーザが入居しても資産が枯渇しない可能性の高い介護施設を特定することができる。
【００５１】
また、本実施形態では、情報出力部１６は、マイナンバーを用いて自治体サーバ３０からユーザの家族のマイナンバーを取得し、取得した家族のマイナンバーを用いて金融機関サーバ２０から家族の資産情報を取得する。そして、情報出力部１６は、取得した資産情報から特定される保証人候補の情報を出力する。これにより、本実施形態では、保証人候補の情報として適切な情報を出力することができる。
【００５２】
なお、上記実施形態では、マッチングサーバ１０とＷｅｂサーバ４０が別々のサーバである場合について説明したが、これに限られるものではない。すなわち、マッチングサーバ１０がＷｅｂサーバ４０と同様の機能（ユーザに適合する介護施設を検索する機能）を有していてもよい。
【００５３】
なお、上記実施形態では、マッチングサーバ１０がユーザに対して提供する施設の情報が、介護施設の情報である場合について説明したが、これに限られるものではない。ユーザに対して提供する施設の情報は、介護施設以外の入居施設の情報であってもよい。この場合、マッチングサーバ１０は、自治体サーバ３０から介護度を取得しなくてもよい。
【００５４】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記憶媒体（ただし、搬送波は除く）に記録しておくことができる。
【００５５】
プログラムを流通させる場合には、例えば、そのプログラムが記録されたＤＶＤ（Digital Versatile Disc）、ＣＤ−ＲＯＭ（Compact Disc Read Only Memory）などの可搬型記憶媒体の形態で販売される。また、プログラムをサーバコンピュータの記憶装置に格納しておき、ネットワークを介して、サーバコンピュータから他のコンピュータにそのプログラムを転送することもできる。
【００５６】
プログラムを実行するコンピュータは、例えば、可搬型記憶媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記憶媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００５７】
上述した実施形態は本発明の好適な実施の例である。但し、これに限定されるものではなく、本発明の要旨を逸脱しない範囲内において種々変形実施可能である。
【００５８】
なお、以上の実施形態の説明に関して、更に以下の付記を開示する。
（付記１）  入居希望者の識別情報、及び入居希望条件を受け付け、
前記識別情報に基づいて、前記入居希望者の資産情報を金融機関に対応する情報処理装置から取得し、
取得した前記資産情報に基づいて、前記入居希望条件を満たす施設群の中から前記入居希望者に適合する施設を特定して出力する、
処理をコンピュータに実行させるための入居施設情報出力プログラム。
（付記２）  前記識別情報に基づいて、前記入居希望者の介護度の情報を自治体に対応する情報処理装置から取得し、
前記適合する施設を特定して出力する処理では、取得した前記介護度の情報に基づいて、前記入居希望条件を満たす施設群の中から前記入居希望者に適合する施設を特定して出力する、
ことを特徴とする付記１に記載の入居施設情報出力プログラム。
（付記３）  施設ごとの入居条件を記憶する記憶部を参照して、前記適合する施設に入居するために前記入居希望者が保証人を登録する必要があると判定した場合、前記資産情報に応じた保証人候補を特定して出力する、
処理を前記コンピュータに更に実行させることを特徴とする付記１又は２に記載の入居施設情報出力プログラム。
（付記４）  前記識別情報に基づいて、前記入居希望者の関係者の情報を自治体に対応する情報処理装置から取得し、
前記保証人候補を特定して出力する処理では、取得した前記関係者の少なくとも一人を前記保証人候補として特定して出力する、ことを特徴とする付記３に記載の入居施設情報出力プログラム。
（付記５）  前記入居希望者に適合する施設は、施設に支払う金額と、取得した前記資産情報と、に基づいて特定した施設である、ことを特徴とする付記１〜４のいずれかに記載の入居施設情報出力プログラム。
（付記６）  入居希望者の識別情報、及び入居希望条件を受け付け、
前記識別情報に基づいて、前記入居希望者の資産情報を金融機関に対応する情報処理装置から取得し、
取得した前記資産情報に基づいて、前記入居希望条件を満たす施設群の中から前記入居希望者に適合する施設を特定して出力する、
処理をコンピュータが実行することを特徴とする入居施設情報出力方法。
（付記７）  入居希望者の識別情報、及び入居希望条件を受け付ける受付部と、
前記識別情報に基づいて、前記入居希望者の資産情報を金融機関に対応する情報処理装置から取得する取得部と、
取得した前記資産情報に基づいて、前記入居希望条件を満たす施設群の中から前記入居希望者に適合する施設を特定して出力する出力部と、
を備える入居施設情報出力装置。
（付記８）  前記識別情報に基づいて、前記入居希望者の介護度の情報を自治体に対応する情報処理装置から取得する介護度情報取得部を更に備え、
前記出力部は、取得した前記介護度の情報に基づいて、前記入居希望条件を満たす施設群の中から前記入居希望者に適合する施設を特定して出力する、
ことを特徴とする付記７に記載の入居施設情報出力装置。
（付記９）  施設ごとの入居条件を記憶する記憶部を参照して、前記適合する施設に入居するために前記入居希望者が保証人を登録する必要があると判定した場合、前記資産情報に応じた保証人候補を特定して出力する保証人候補出力部を更に備える、付記７又は８に記載の入居施設情報出力装置。
（付記１０）前記保証人候補出力部は、前記識別情報に基づいて、前記入居希望者の関係者の情報を自治体に対応する情報処理装置から取得し、取得した前記関係者の少なくとも一人を前記保証人候補として特定して出力する、ことを特徴とする付記９に記載の入居施設情報出力装置。
（付記１１）  前記入居希望者に適合する施設は、施設に支払う金額と、取得した前記資産情報と、に基づいて特定した施設である、ことを特徴とする付記７〜１０のいずれかに記載の入居施設情報出力装置。
【符号の説明】
【００５９】
１０  マッチングサーバ（入居施設情報出力装置）
１１  入力情報受付部（受付部）
１２  資産情報取得部
１３  介護度情報取得部
１４  適合施設問い合わせ部（出力部の一部）
１５  回答取得部（出力部の一部）
１６  情報出力部（出力部の一部、保証人候補出力部）
２０  金融機関サーバ（金融機関に対応する情報処理装置）
３０  自治体サーバ（自治体に対応する情報処理装置）
４８  施設ＤＢ（記憶部）
【図１】
2020009092.tif 000003
【図２】
2020009092.tif 000004
【図３】
2020009092.tif 000005
【図４】
2020009092.tif 000006
【図５】
2020009092.tif 000007
【図６】
2020009092.tif 000008
【図７】
2020009092.tif 000009
【図８】
2020009092.tif 000010
【図９】
2020009092.tif 000011
【図１０】
2020009092.tif 000012